(57)【要約】【課題】左右一対のガイドローラがそれぞれのコンベアレールを走行する構成のコンベアチェーンに関して、コンベアチェーンの両側面を一対の回転ブラシで清掃するにあたり、１つの回転駆動源で済み、さらにコンベアレール間の距離寸法やコンベアチェーン自体の幅寸法の仕様変更にも容易に対応可能な清掃装置を提供する。【解決手段】コンベアチェーン１を左右方向両側から挟み込む一対の回転ブラシ８Ａ、８Ｂと、各回転ブラシ８Ａ、８Ｂを軸支し、各コンベアレール４Ａ、４Ｂにボルト９により着脱自在に取り付けられる一対の支持ブラケット１０Ａ、１０Ｂと、回転ブラシ８Ａ、８Ｂの駆動源１１と、各支持ブラケット１０Ａ、１０Ｂに取り付けたスプロケット１２Ａ、１２Ｂ間に駆動伝達チェーン１３を掛け回した構成からなり、回転ブラシ８Ａ、８Ｂを同期回転させる駆動機構１４と、を備える清掃装置７とした。【選択図】図１
2011157201.tif 000002
【特許請求の範囲】
【請求項１】
アタッチメントに軸支した左右一対のガイドローラがそれぞれのコンベアレールを走行する構成のコンベアチェーンに関し、
コンベアチェーンを左右方向両側から挟み込む一対の回転ブラシと、
各回転ブラシを軸支し、前記各コンベアレールにボルトにより着脱自在に取り付けられる一対の支持ブラケットと、
前記回転ブラシの駆動源と、
前記各支持ブラケットに取り付けたスプロケット間に駆動伝達チェーンを掛け回した構成からなり、両回転ブラシを同期回転させる駆動機構と、
を備えることを特徴とするコンベアチェーンの清掃装置。
【請求項２】
前記駆動源をエアモータとしたことを特徴とする請求項１に記載のコンベアチェーンの清掃装置。
【発明の詳細な説明】
【技術分野】
【０００１】
本発明は、コンベアチェーンの清掃装置に関する。
【背景技術】
【０００２】
ブラシを用いたコンベアチェーンの清掃装置の従来例として特許文献１、２に記載のものが挙げられる。各特許文献には、ブラシを回転させてコンベアチェーンに付着したゴミ等を除去する技術が記載されている。
【先行技術文献】
【特許文献】
【０００３】
【特許文献１】特開平１１−６０１３３号公報
【特許文献２】特開２００１−２５３５３２号公報
【発明の概要】
【発明が解決しようとする課題】
【０００４】
特許文献１、２に記載された清掃装置はコンベアチェーンの一側面のみをブラシで清掃する構造であり、他側面に付着したゴミについては除去しにくいという問題がある。当該問題はコンベアチェーンの両側面にブラシを配設することで容易に解決できるが、その場合、各ブラシ毎に回転駆動源を設けることは不経済であることから、１つの回転駆動源で両ブラシを同期回転させる構造とすることが望ましい。
【０００５】
本発明は、アタッチメントに軸支した左右一対のガイドローラがそれぞれのコンベアレールを走行する構成のコンベアチェーンに関して、コンベアチェーンの両側面を一対の回転ブラシで清掃するにあたり、１つの回転駆動源で済み、さらにコンベアレール間の距離寸法やコンベアチェーン自体の幅寸法の仕様変更にも容易に対応可能なコンベアチェーンの清掃装置を提供することを目的としている。
【課題を解決するための手段】
【０００６】
本発明は、前記課題を解決するため、アタッチメントに軸支した左右一対のガイドローラがそれぞれのコンベアレールを走行する構成のコンベアチェーンに関し、コンベアチェーンを左右方向両側から挟み込む一対の回転ブラシと、各回転ブラシを軸支し、前記各コンベアレールにボルトにより着脱自在に取り付けられる一対の支持ブラケットと、前記回転ブラシの駆動源と、前記各支持ブラケットに取り付けたスプロケット間に駆動伝達チェーンを掛け回した構成からなり、両回転ブラシを同期回転させる駆動機構と、を備える清掃装置からなる。
【０００７】
本発明の清掃装置は、コンベアチェーンを一対の回転ブラシで両側から清掃するにあたり、各コンベアレールにそれぞれ支持ブラケットをボルトにより着脱自在に取り付ける構造としたため、コンベアレールのどの延設部位にも迅速かつ容易に清掃装置を装着でき、所望の場所でコンベアチェーンを清掃することができる。
また、コンベアレールと支持ブラケットとの間にスペーサなどを介在させることにより、支持ブラケット同士間の距離、すなわち回転ブラシ間の距離を簡単に調節できるため、コンベアレール間の距離寸法やコンベアチェーン自体の幅寸法の仕様の違いに拘わらず清掃装置を装着できる。
さらに、本発明の清掃装置は１つの駆動源で２つの回転ブラシを同期回転させることが可能であり、同期回転させる駆動機構として各支持ブラケットのスプロケット間に駆動伝達チェーンを掛け回す構成としたため、支持ブラケット同士間の距離が変更になった場合には、駆動伝達チェーンの長さを変更するだけで済み、駆動機構の緻密な調整作業を要しない。
【０００８】
また、本発明は、前記駆動源をエアモータとした清掃装置からなる。
【０００９】
自動車関連部品の製造工場の作業エリアには圧縮エアの供給口が多数設けられていることが多く、このような場合、駆動源をエアモータから構成することにより、清掃装置の配設位置に拘わらず動力源を容易に確保できる。
【発明の効果】
【００１０】
本発明によれば、コンベアチェーンを一対の回転ブラシで両側から清掃するにあたり、各コンベアレールにそれぞれ支持ブラケットをボルトにより着脱自在に取り付ける構造としたため、コンベアレールのどの延設部位にも迅速かつ容易に清掃装置を装着でき、所望の場所でコンベアチェーンを清掃することができる。
【図面の簡単な説明】
【００１１】
【図１】本発明に係るコンベアチェーンの清掃装置の外観斜視図である。
【図２】本発明に係るコンベアチェーンの清掃装置の正断面図である。
【図３】コンベアレール周りの側断面図である。
【図４】コンベアチェーンおよび回転ブラシの平面図である。
【発明を実施するための形態】
【００１２】
本発明の清掃対象となるコンベアチェーン１は、図１、図２に示すように、アタッチメント２に軸支した左右一対のガイドローラ３Ａ、３Ｂがそれぞれのコンベアレール４Ａ、４Ｂを走行する構成からなる。ここでいう「左右一対のガイドローラ」とは、図２に示すようにコンベアチェーン１を挟んで左右に位置するガイドローラ３Ａ、３Ｂを意味するものであり、図３のように１つのコンベアレール４Ａ内に位置するガイドローラ３Ａ、３Ａを指すものではない。
【００１３】
図２において、コンベアチェーン１（上リンクプレート１Ａ）の上面には所定間隔毎に前記アタッチメント２が取り付けられており、アタッチメント２の一側面にガイドローラ３Ａ、３Ａが軸支され、他側面にガイドローラ３Ｂ、３Ｂが軸支される。コンベアレール４Ａ、４Ｂは例えば溝形鋼からなり、各ウェブ４Ａａ、４Ｂａを鉛直にして互いの開口部が対向するように配設されている。アタッチメント２の上端には、図示しない搬送トロリのドグに係合して搬送パレット等を押圧搬送するためのプッシャ５が形成されている。
【００１４】
コンベアチェーン１は、例えば上リンクプレート１Ａ、下リンクプレート１Ｂとアーム状のセンターリンク１Ｃとを交互にピン結合した構造からなる。金属摩耗を防止するためにこのコンベアチェーン１には定期的に給油が行われるが、その油によってチェーンの表面にはゴミ等が付着しやすくなり、次回の給油の際にはそのゴミが弊害となってピン結合部の奥に油が浸透しにくくなる。
【００１５】
このようなチェーンの表面に付着したゴミ等を効率的に除去するために、本発明に係るコンベアチェーン１の清掃装置７は、コンベアチェーン１を左右方向両側から挟み込む一対の回転ブラシ８Ａ、８Ｂと、各回転ブラシ８Ａ、８Ｂを軸支し、各コンベアレール４Ａ、４Ｂにボルト９により着脱自在に取り付けられる一対の支持ブラケット１０Ａ、１０Ｂと、回転ブラシ８Ａ、８Ｂの駆動源１１と、各支持ブラケット１０Ａ、１０Ｂに取り付けたスプロケット１２Ａ、１２Ｂ間に駆動伝達チェーン１３を掛け回した構成からなり、両回転ブラシ８Ａ、８Ｂを同期回転させる駆動機構１４と、を備える。
【００１６】
一方の支持ブラケット１０Ａは断面コ字形状を呈しており、その開口部がコンベアチェーン１に臨むように位置している。支持ブラケット１０Ａの上面には、断面Ｌ字形状を呈した連結ブラケット１５の一面（水平面）が複数の固定ボルト１６により締結固定されている。連結ブラケット１５の他面（鉛直面）は、コンベアレール４Ａのウェブ４Ａａの外面に固設してある平板状の取付け座１７に複数の六角孔付きのボルト９により着脱自在に取り付けられる。
【００１７】
支持ブラケット１０Ａのコ字形状部の内部空間には、回転ブラシ８Ａが鉛直軸周りに回転自在に収装されている。回転ブラシ８Ａは、その回転軸１８の外周に合成繊維等からなるフィラメントを放射状に植設した構造からなり、略円柱形状を呈している。回転軸１８は軸受を介して支持ブラケット１０Ａに支承される。回転軸１８の下端周りは支持ブラケット１０Ａの下面からさらに下方に延設されており、その延設部は駆動用のスプロケット１２Ａが軸着されたうえでジョイント１９を介して駆動源１１の出力軸に連結している。
【００１８】
本実施形態では、前記駆動源１１を、圧縮エアの供給を受けてその出力軸が回転するエアモータ６から構成している。前記支持ブラケット１０Ａの下面には駆動源支持ブラケット２０が固設されており、エアモータ６はこの駆動源支持ブラケット２０に取り付けられている。
【００１９】
他方の支持ブラケット１０Ｂも、回転ブラシ８Ｂの収装周りとコンベアレール４Ｂに対する取付け周りの構造については一方の支持ブラケット１０Ａと同様であり、コンベアチェーン１を挟んで支持ブラケット１０Ａと左右対称となるように位置したコ字形状部の内部空間には、回転ブラシ８Ｂが鉛直軸周りに回転自在に収装されている。そして、支持ブラケット１０Ｂの上面には、断面Ｌ字形状を呈した連結ブラケット１５の一面（水平面）が固定ボルト１６により締結固定されている。連結ブラケット１５の他面（鉛直面）は、コンベアレール４Ｂのウェブ４Ｂａの外面に固設した取付け座１７にボルト９により着脱自在に取り付けられる。
【００２０】
支持ブラケット１０Ｂには、回転ブラシ８Ｂを収装するコ字形状部の下方に別途のコ字形状部が形成されており、この下方のコ字形状部の内部空間には鉛直状の従動軸２１が回転自在に収装されている。従動軸２１には従動用のスプロケット１２Ｂが軸着されており、このスプロケット１２Ｂと前記スプロケット１２Ａとの間に駆動伝達チェーン１３が掛け回されている。これらスプロケット１２Ａ、１２Ｂ、駆動伝達チェーン１３は、回転ブラシ８Ａ、８Ｂを同期回転させる駆動機構１４を構成する。また、回転ブラシ８Ｂの回転方向の変換機構として、従動軸２１には第１ギヤ２２が軸着されており、この第１ギヤ２２は回転ブラシ８Ｂの回転軸１８の下端に軸着した第２ギヤ２３と噛合している。
【００２１】
本発明に係る清掃装置７は以上の構成からなり、コンベアチェーン１が走行移動しているときに、エアモータ６に圧縮エアを供給して回転駆動させると、図４に示すように、例えば一方の回転ブラシ８Ａは反時計回りに回転し、他方の回転ブラシ８Ｂは図２に示した駆動機構１４および第１ギヤ２２、第２ギヤ２３の介在により回転ブラシ８Ａと同期して時計回りに回転することにより、コンベアチェーン１に付着したゴミ等を両側面から除去する。
【００２２】
本発明の清掃装置７は、コンベアチェーン１を一対の回転ブラシ８Ａ、８Ｂで両側から清掃するにあたり、コンベアレール４Ａ、４Ｂにそれぞれ支持ブラケット１０Ａ、１０Ｂをボルト９により着脱自在に、本実施形態では連結ブラケット１５を介してボルト９により着脱自在に取り付ける構造としたため、コンベアレール４Ａ、４Ｂのどの延設部位にも迅速かつ容易に清掃装置７を装着でき、所望の場所でコンベアチェーン１を清掃することができる。したがって、例えば定期清掃を行うときのみ清掃装置７をコンベアレール４Ａ、４Ｂに装着し、それ以外はコンベアレール４Ａ、４Ｂから外しておくという態様の場合でも着脱作業としてさほど手間がかからない。
【００２３】
また、コンベアレール４Ａ、４Ｂと支持ブラケット１０Ａ、１０Ｂとの間にスペーサなどを介在させることにより、例えば取付け座１７と連結ブラケット１５との間に適宜厚さのスペーサを介在させることにより、支持ブラケット１０Ａ、１０Ｂ同士間の距離、すなわち回転ブラシ８Ａ、８Ｂ間の距離を簡単に調節できる。したがって、本発明の清掃装置７は、コンベアレール４Ａ、４Ｂ間の距離寸法やコンベアチェーン１自体の幅寸法の仕様の違いにも容易に対応可能となる。なお、スペーサを介在させる構造の他、例えば、支持ブラケット１０Ａ、１０Ｂと各連結ブラケット１５とを長孔を介して固定ボルト１６で締結固定し、長孔に対する固定ボルト１６の位置を変えることで支持ブラケット１０Ａ、１０Ｂ同士間の距離を調節するようにしてもよい。
【００２４】
さらに、本発明の清掃装置７は１つの駆動源１１で２つの回転ブラシ８Ａ、８Ｂを同期回転させる構造のため、製作コストの低減が図れる。そして、回転ブラシ８Ａ、８Ｂを同期回転させる駆動機構１４として、支持ブラケット１０Ａ側のスプロケット１２Ａと支持ブラケット１０Ｂ側のスプロケット１２Ｂとに駆動伝達チェーン１３を掛け回す構成としたため、支持ブラケット１０Ａ、１０Ｂ同士間の距離が変更になった場合には、駆動伝達チェーン１３の長さを変更するだけで済むことになり、駆動機構１４の緻密な調整作業を要しない。
【００２５】
また、自動車関連部品の製造工場の作業エリアには圧縮エアの供給口が多数設けられていることが多いので、このような場合、駆動源１１をエアモータ６から構成することにより、清掃装置７の配設位置に拘わらず動力源を容易に確保できる。
【００２６】
以上、本発明に係るコンベアチェーン１の清掃装置７の好適な実施形態を説明した。本発明は図面に記載した形態に限られず、趣旨を逸脱しない範囲で様々な設計変更が可能である。
【符号の説明】
【００２７】
１      コンベアチェーン
２      アタッチメント
３Ａ、３Ｂ  ガイドローラ
４Ａ、４Ｂ  コンベアレール
６      エアモータ
７      清掃装置
８Ａ、８Ｂ  回転ブラシ
９      ボルト
１０Ａ、１０Ｂ  支持ブラケット
１１      駆動源
１２Ａ、１２Ｂ  スプロケット
１３      駆動伝達チェーン
１４      駆動機構
１８      回転軸                                                                                
【図１】
2011157201.tif 000003
【図２】
2011157201.tif 000004
【図３】
2011157201.tif 000005
【図４】
2011157201.tif 000006